(57)【要約】【課題】取替え可能なカバー部材を備える化粧材を提供する。【解決手段】建物の外壁に設けられた開口部に設置される化粧材５である。  そして、外壁の前面２１に固定される前面枠部３１１，３２１，３３１と、外壁の開口部に向いた端面２２を覆う端面枠部３１２，３２２，３３２と、を一体に備える基盤部材３と、前面枠部３１１，３２１，３３１の前面に嵌め合わされて開口部の周囲の外壁の前面２１を覆うカバー部材４と、を備える。【選択図】図１
2009079454.tif 000002
【特許請求の範囲】
【請求項１】
建物の外壁に設けられた開口部に設置される化粧材であって、
前記外壁の前面に固定される前面枠部と、前記外壁の前記開口部に向いた端面を覆う端面枠部と、を一体に備える基盤部材と、
前記前面枠部の前面に嵌め合わされて前記開口部の周囲の前記外壁の前面を覆うカバー部材と、を備えることを特徴とする化粧材。
【請求項２】
前記前面枠部は、コ字状の断面を有するとともに、コ字の先端には掛止かぎ部が形成され、
前記カバー部材は、コ字状の断面を有するとともに、コ字の先端には前記掛止かぎ部に嵌合する掛止爪部が形成されることを特徴とする請求項１に記載の化粧材。
【請求項３】
前記基盤部材には、前記外壁の前面の形状の違いに対応して、複数のビス孔が設けられることを特徴とする請求項１又は請求項２に記載の化粧材。
【請求項４】
請求項１乃至請求項３のいずれか一項に記載の化粧材を備える開口部化粧構造であって、
前記開口部には前記外壁の前面から後退した窓又は扉が設置され、
前記前面枠部は前記開口部の形状に沿うように形成されて前記外壁の前面に固定され、
前記外壁の前面と前記窓又は扉の前面との間に形成される前記外壁の前記端面は前記端面枠部に覆われ、
前記カバー部材は前記開口部の形状に沿うように形成されて前記前面枠部の前面に嵌め合わされることを特徴とする開口部化粧構造。
【発明の詳細な説明】
【技術分野】
【０００１】
本発明は、建物の外壁に設けられた開口部に設置される化粧材と、この化粧材を備える開口部化粧構造と、に関するものである。
【背景技術】
【０００２】
従来、建物の外壁に設けられた開口部に窓や扉などを設置する場合、開口部に窓枠や扉枠などを取り付けることが一般的である。
【０００３】
この窓枠や扉枠などを取り付ける際には、窓枠や扉枠の厚みが外壁の厚みよりも薄いために、外壁の開口部に向いた端面の全体を覆うことができない場合がある。
【０００４】
したがって、従来は、例えば、断面コ字状の樹脂部材や金属薄板を成型したものが用いられ、コ字の内側に外装材の端面部を挿し込むことで、端面部の被覆や雨水の浸入阻止を図っている。
【０００５】
一方、この従来の構成では、あらかじめ、外装材の厚みに対応して複数種類の樹脂部材や金属薄板などを用意しておく必要があった。
【０００６】
この問題を解決する方法として、例えば、特許文献１では、建物に固定されるレールと、このレールに嵌め込まれるコ字状の外装材端面カバー部材と、を備えるとともに、外装材端面カバー部材にコ字の内部に複数の隔壁を有する開口周り構造が開示されている。
【０００７】
この構成によれば、外装材の厚みに対応する位置の隔壁に外装材の端面を嵌め込むことで、複数の外装材の厚みに対応することができる。
【特許文献１】特開２０００−２５７３４０号公報
【発明の開示】
【発明が解決しようとする課題】
【０００８】
しかしながら、上記した特許文献１では、開口周り構造の前面を覆う外装端面カバー部材は、開口部の内側に嵌め込まれるため、劣化しても取り替えることはできなかった。
【０００９】
そこで、本発明は、取替え可能なカバー部材を備える化粧材と、この化粧材を備える開口部化粧構造と、を提供することを目的としている。
【課題を解決するための手段】
【００１０】
前記目的を達成するために、本発明の化粧材は、建物の外壁に設けられた開口部に設置される化粧材であって、前記外壁の前面に固定される前面枠部と、前記外壁の前記開口部に向いた端面を覆う端面枠部と、を一体に備える基盤部材と、前記前面枠部の前面に嵌め合わされて前記開口部の周囲の前記外壁の前面を覆うカバー部材と、を備えることを特徴とする。
【００１１】
また、前記前面枠部は、コ字状の断面を有するとともに、コ字の先端には掛止かぎ部が形成され、前記カバー部材は、コ字状の断面を有するとともに、コ字の先端には前記掛止かぎ部に嵌合する掛止爪部が形成される構成とすることができる。
【００１２】
さらに、前記基盤部材には、前記外壁の前面の形状の違いに対応して、複数のビス孔が設けられる構成とすることができる。
【００１３】
そして、本発明の開口部化粧構造は、上記したいずれかの化粧材を備える開口部化粧構造であって、前記開口部には前記外壁の前面から後退した窓又は扉が設置され、前記前面枠部は前記開口部の形状に沿うように形成されて前記外壁の前面に固定され、前記外壁の前面と前記窓又は扉の前面との間に形成される前記外壁の前記端面は前記端面枠部に覆われ、前記カバー部材は前記開口部の形状に沿うように形成されて前記前面枠部の前面に嵌め合わされることを特徴とする。
【発明の効果】
【００１４】
このように、本発明の化粧材は、外壁の前面に固定される前面枠部と、外壁の開口部に向いた端面を覆う端面枠部と、を一体に備える基盤部材と、前面枠部の前面に嵌め合わされて開口部の周囲の外壁の前面を覆うカバー部材と、を備えることを特徴としている。
【００１５】
したがって、カバー部材は基盤部材に嵌め合わされているだけであるから、劣化した場合には、容易に取替え可能である。
【００１６】
加えて、前面枠部を外壁に強固に固定できるうえに、端面枠部とカバー部材とによって外壁の端面と外壁の前面の両方を覆うことで優れた美観を備えることができる。
【００１７】
また、前面枠部のコ字の先端の掛止かぎ部と、カバー部材のコ字の先端の掛止爪部と、が嵌合されるため、カバー部材を正面から取り外すことが可能となり、取替えがいっそう容易になる。
【００１８】
さらに、基盤部材には、外壁の前面の形状の違いに対応して、複数のビス孔が設けられることで、同一の基盤部材を異なる形状の外壁に共通して用いることができる。
【００１９】
そして、本発明の開口部化粧構造は、上記したいずれかの化粧材を備える開口部化粧構造であって、開口部には外壁の前面から後退した窓又は扉が設置され、前面枠部は開口部の形状に沿うように形成されて外壁の前面に固定され、外壁の前面と窓又は扉の前面との間に形成される外壁の端面は端面枠部に覆われ、カバー部材は開口部の形状に沿うように形成されて前面枠部の前面に嵌め合わされている。
【００２０】
したがって、前面枠部を外壁に強固に固定できるうえに、端面枠部とカバー部材とによって外壁の端面と外壁の前面の両方を覆うことで、開口部の防水性を高めるとともに、優れた美観を備えることができる。
【発明を実施するための最良の形態】
【００２１】
以下、本発明の最良の実施の形態について図面を参照しながら説明する。
【００２２】
まず、図２，３の断面図を用いて本発明の化粧材５を備える開口部化粧構造Ｃの全体構成を説明する。
【００２３】
本実施の形態の開口部化粧構造Ｃは、図２，３に示すように、ユニット建物の開口部に外壁パネル２の前面２１から後退した窓７が設置されるとともに、外壁パネル２の前面２１と端面２２とを覆う化粧材５を備えている。
【００２４】
ここにおいて、外壁パネル２を備えるユニット建物は、いわゆる枠組壁工法によって構築される建物であり、外壁２パネルの他に床パネルを備えており、荷重を面で受けとめる構造となっている。
【００２５】
また、外壁としての外壁パネル２は、縦材２３と横材２７とによって組み立てられた枠組に、内装面材２８や構造面材２９が貼られてパネル状の骨格を備えるもので、構造面材２９の屋外側には、通気のためのスペーサ２４を介して外装面材２５が貼られている。なお、この外装面材２５としては、消費者の好みに応じて、表面が面一となったタイプやタイル状となって凹凸があるタイプなど種々のものが用いられる。
【００２６】
さらに、窓７は、図２に示すように、操作腕７２を備えて屋外に向かって開くタイプのいわゆる滑り出し窓であり、外壁パネル２の前面２１から後退した位置に前面７１が位置するように形成されている。
【００２７】
そして、本実施の形態の化粧材５は、図１，４，５に示すように、基盤部材３と、カバー部材４と、を備えている。
【００２８】
この基盤部材３は、開口部の上方にビス６１によって固定される上枠３１と、開口部の下方にビス６１によって固定される下枠３２と、開口部の側方にビス６１によって固定される竪枠３３，３３と、を備えている。
【００２９】
上枠３１は、アルミニウムなどの金属などによって、全体がＬ字の板状に形成されるもので、Ｌ字の一方の前面枠部３１１と他方の端面枠部３１２とを一体に備えている。
【００３０】
また、この前面枠部３１１は、図４に示すように、断面コ字状に形成されており、コ字の突出した一方の先端には掛止かぎ部３１１ａを備えている。加えて、この前面枠部３１１にはビス孔（不図示）が設けられ、ビス６１，・・・が外壁パネル２の前面２１の外装面材２５に挿通されて固定されている。
【００３１】
さらに、前面枠部３１１に直交するように形成された端面枠部３１２は、外壁パネル２の前面２１と窓７の前面７１との間に形成される外壁パネル２の上方の端面２２を覆っている。
【００３２】
同様に、下枠３２は、アルミニウムなどの金属などによってＬ字の板状に形成されるもので、前面枠部３２１と端面枠部３２２とを一体に備えており、図４に示すように、前面枠部３２１のコ字の突出した一方の先端には掛止かぎ部３２１ａを備えている。加えて、この前面枠部３２１にはビス孔（不図示）が設けられ、このビス孔を通じてビス６１，・・・が外壁パネル２の前面２１の外装面材２５に挿通されて固定されている。
【００３３】
そして、前面枠部３２１に直交するように形成された端面枠部３２２は、外壁パネル２の前面２１と窓７の前面７１との間に形成される外壁パネル２の下方の端面２２を覆っている。
【００３４】
また、竪枠部３３は、アルミニウムなどの金属などによってＬ字の板状に形成されるもので、前面枠部３３１と端面枠部３３２とを一体に備えており、図５に示すように、前面枠部３３１のコ字の突出した一方の先端には掛止かぎ部３３１ｃを備えている。
【００３５】
さらに、前面枠部３３１に直交するように形成された端面枠部３３２は、外壁パネル２の前面２１と窓７の前面７１との間に形成される外壁パネル２の側方の端面２２を覆っている。
【００３６】
加えて、この竪枠３３の前面枠部３３１には、図１，６（ａ）に示すように、設置された状態で水平方向に間隔をおいて２列のビス孔３３１ａ，・・・，３３１ｂ，・・・が設けられている。
【００３７】
このうち、外側のビス孔３３１ａは、開口部の脇に外装面材２５がない場合に用いるもので、内側のビス孔３３１ｂは、開口部の脇に外装面材２５がある場合に用いるものである。
【００３８】
そして、本実施の形態では、２列のビス孔３３１ａ，・・・，３３１ｂ，・・・のうち、外側のビス孔３３１ａ，・・・を通じてビス６１，・・・が外壁パネル２の前面２１の外装面材２５に挿通されて固定されている。
【００３９】
さらに、上記した上枠３１の端面枠部３１２や、下枠３２の端面枠部３２２や、竪枠３３の端面枠部３３２には、図４，５に示すように、窓７に当接する側の端面に水密テープ６３，・・・が貼設されている。
【００４０】
また、カバー部材４は、開口部の上方の上枠３１に嵌合する上カバー４１と、開口部の下方の下枠３２に嵌合する下カバー４２と、開口部の側方の竪枠３３，３３に嵌合する竪カバー４３，４３と、を備えている。
【００４１】
この上カバー４１は、図４に示すように、アルミニウムなどの金属板などによって断面コ字状に形成されており、コ字の突出した一方の先端には掛止爪部４１ａを備えている。
【００４２】
同様に、下カバー４２は、図４に示すように、アルミニウムなどの金属板などによって断面コ字状に形成されており、コ字の突出した一方の先端には掛止爪部４２ａを備えている。
【００４３】
さらに、竪カバー４３は、図５に示すように、アルミニウムなどの金属板などによって断面コ字状に形成されており、コ字の突出した一方の先端には掛止爪部４３ａを備えている。
【００４４】
そして、上記した上枠３１の掛止かぎ部３１１ａには上カバー４１の掛止爪部４１ａが嵌合され、下枠３２の掛止かぎ部３２１ａには下カバー４２の掛止爪部４２ａが嵌合され、竪枠３３，３３の掛止かぎ部３３１ｃ，３３１ｃには竪カバー４３，４３の掛止爪部４３ａ，４３ａが嵌合されて、それぞれ固定されている。
【００４５】
また、図示しないが、コ字状断面の上枠３１とコ字状断面の上カバー４１とが合わさって形成された筒の端部と、コ字状断面の下枠３２とコ字状断面の下カバー４２とが合わさって形成された筒の端部と、コ字状断面の竪枠３３，３３とコ字状断面の竪カバー４３，４３とが合わさって形成された筒の端部と、にはそれぞれキャップが挿入されて雨水などが浸入しないように形成されている。
【００４６】
次に、図１，２，３を用いて、本実施の形態の化粧材５を外壁パネル２に取り付ける方法について説明する。
【００４７】
まず、別工程で窓７と基盤部材３とカバー部材４とを製作しておく。
【００４８】
つづいて、図１に示すように、外壁パネル２に形成した開口部に窓７を嵌め込んで、ビス（不図示）などによって固定する。この際、窓７の前面７１（図２参照）は外壁パネル２の前面２１から後退した位置となるように設置される。
【００４９】
次に、図２，３に示すように、あらかじめドリルによって外装面材２５に孔をあけ、ビス６１，・・・によって基盤部材３の前面枠部３１１，３２１，３３１を開口部の周囲の外装面材２５に上下左右均等になるように正面から固定する。
【００５０】
最後に、図１に示すように、カバー部材４の上カバー４１を上枠３１の前面枠部３１１に、下カバー４２を下枠３２の前面枠部３２１に、竪カバー４３，４３を竪枠３３，３３の前面枠部３３１，３３１に、それぞれ正面から嵌め合わせる。
【００５１】
このようにして、基盤部材３とカバー部材４とを備えた化粧材５が外壁パネル２に取り付けられる。
【００５２】
次に、本実施の形態の化粧材５の作用について説明する。
【００５３】
このように、本実施の形態の化粧材５は、外壁としての外壁パネル２の前面２１に固定される前面枠部３１１，３２１，３３１と、外壁パネル２の開口部に向いた端面２２を覆う端面枠部３１２，３２２，３３２と、を一体に備える基盤部材３と、前面枠部３１１，３２１，３３１の前面に嵌め合わされて開口部の周囲の外壁の前面２１を覆うカバー部材４と、を備えることを特徴としている。
【００５４】
したがって、カバー部材４は、基盤部材３に嵌め合わされているだけであるから、劣化した場合などには容易に取替え可能である。
【００５５】
つまり、カバー部材４は、外壁パネル２の正面に取り付けられるから、風雨にさらされて劣化しやすいが、カバー部材４は基盤部材３に嵌め合わされているだけであるから容易に着脱できる。
【００５６】
加えて、前面枠部３１１，３２１，３３１を外壁パネル２に強固に固定できるうえに、端面枠部３１２，３２２，３３２とカバー部材４とによって外壁パネル２の端面２２と外壁パネル２の前面２１の両方を覆うことで優れた美観を備えることができる。
【００５７】
すなわち、前面枠部３１１，３２１，３３１は、最も外力が作用しやすい外壁パネル２の前面２１の外装面材２５に、ビス６１，・・・によって直接固定されているため、基盤部材３は外力の作用に対して強い構造となっている。
【００５８】
加えて、外壁パネル２に直接取り付けられる前面枠部３１１，３２１，３３１と一体に形成される端面枠部３１２，３２２，３３２によって外壁パネル２の端面２２を覆っているため、端面枠部３１２，３２２，３３２に作用する外力に対しても強い構造となっている。
【００５９】
さらに、カバー部材４によって外壁パネル２の前面２１を覆うとともに、基盤部材３の端面枠部３１２，３２２，３３２によって外壁パネル２の端面２２を覆うことで優れた美観を備えるようになる。ここにおいて、基盤部材３を固定するビス孔は、カバー部材４によって覆われ、正面から見えなくなるため、いっそう優れた美観を備えることとなる。
【００６０】
また、前面枠部３１１，３２１，３３１のコ字の先端の掛止かぎ部３１１ａ，３２１ａ，３３１ｃと、カバー部材４のコ字の先端の掛止爪部４１ａ，４２ａ，４３ａと、が嵌合されるため、カバー部材４を正面から取り外すことが可能となり、取替えがいっそう容易になる。
【００６１】
すなわち、カバー部材４を構成する上カバー４１や下カバー４２や竪カバー４３，４３は、断面コ字の薄板状に形成されるものであるから、コ字の突出しない底部に正面から力を加えて曲げてやることで、容易に変形させることができる。そうすると、掛止かぎ部３１１ａ，３２１ａ，３３１ｃと掛止爪部４１ａ，４２ａ，４３ａとがずれるため、カバー部材４をスライドさせたりすることなく、取り付け及び取り外しできる。
【００６２】
このように、カバー部材４の着脱が容易になれば、リフォームの際などには、基盤部材３はそのまま再利用しつつ、カバー部材４の材質や色などを好みに応じて変更することもできる。
【００６３】
そして、本実施の形態の開口部化粧構造Ｃは、上記した化粧材５を備える開口部化粧構造Ｃであって、開口部には外壁パネル２の前面２１から後退した窓７が設置されるとともに、前面枠部３１１，３２１，３３１，３３１は四角形の開口部の形状に沿うように四角形に形成されて外壁パネル２の前面２１に固定されている。
【００６４】
また、外壁パネル２の前面２１と窓７の前面７１との間の外壁パネル２の端面２２は端面枠部３１２，３２２，３３２，３３２に覆われている。
【００６５】
さらに、カバー部材４を構成する上カバー４１や下カバー４２や竪カバー４３，４３は開口部の形状に沿うように形成されて、前面枠部３１１，３２１，３３１，３３１の前面に嵌め合わされている。
【００６６】
したがって、前面枠部３１１，３２１，３３１，３３１を外壁パネル２に強固に固定できるうえに、端面枠部３１２，３２２，３３２，３３２とカバー部材４とによって外壁パネル２の端面２２と外壁パネル２の前面２１の両方を覆うことで、開口部の防水性を高めるとともに、優れた美観を備えることができる。
【実施例】
【００６７】
以下、図６（ｂ）を用いて、前記実施の形態とは別の形態の外壁パネル２Ａを備える開口部化粧構造Ｃ１について説明する。
【００６８】
なお、前記実施の形態で説明した内容と同一乃至均等な部分の説明については同一符号を付して説明する。
【００６９】
本実施例では、外壁としての外壁パネル２Ａが、開口部の脇に外装面材２５がある場合について説明する。
【００７０】
まず、構成から説明すると、本実施例の外壁パネル２Ａは、図６（ｂ）に示すように、縦材２３に取り付けられた構造面材２９と、この構造面材２９と開口部に向いた端面の位置を揃えられた外装面材２５と、を備えている。
【００７１】
つまり、この外装面材２５はタイル状に形成されているため、開口部の位置によっては、それぞれのタイルの位置で外装面材２５を切断すると、端面が開口部から離れてしまって前面枠部３３１を取り付けることができなくなる場合がある。
【００７２】
この場合、図６（ｂ）に示すように、前面枠部３３１を取り付けることができるように、外装面材２５の端面と開口部との間にガスケット２６を挟んで細板状の外装面材２５を設置することとなる。
【００７３】
そして、前面枠部３３１において開口部により近いビス孔３３１ｂにビス６２を挿通して、細板状の外装面材２５や構造面材２９に固定する。
【００７４】
次に、作用について説明すると、本実施例の外壁パネル２Ａは、構造面材２９の端面に端面の位置を揃えられた外装面材２５を備えており、開口部により近いビス孔３３１ｂにビス６２を挿通して、外装面材２５や構造面材２９に固定している。
【００７５】
したがって、竪枠３３の前面枠部３３１を、端面枠部３３２により近い位置で外装面材２５に固定することで、端面枠部３３２に作用する外力に対していっそう強い構造となっている。
【００７６】
また、上記したように、基盤部材３には、外壁としての外壁パネル２の前面２１の形状の違いに対応して、複数のビス孔３３１ａ，・・・，３３１ｂ，・・・が設けられることで、同一の基盤部材３を異なる形状の外壁に共通して用いることができる。
【００７７】
なお、この他の構成および作用効果については、前記実施の形態と略同様であるため説明を省略する。
【００７８】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【００７９】
例えば、前記実施の形態及び実施例では、建物として枠組壁工法のユニット建物が開口部化粧構造Ｃ，Ｃ１を備える場合について説明したが、これに限定されるものではなく、在来工法の建物など、どのような建物にも適用することができる。
【００８０】
また、前記実施の形態では、窓７が滑り出し窓である場合について説明したが、これに限定されるものではなく、ルーバー窓や片開き窓など屋外に向かって開くタイプや、一般的な引き違い窓など、どのような構造の窓であってもよい。
【００８１】
さらに、前記実施の形態及び実施例では、前面枠部３３１に２つのビス孔３３１ａ，３３１ｂが設けられる場合について説明したが、これに限定されるものではなく、３つ以上のビス孔を備えるものであってもよい。
【００８２】
そして、前記実施の形態及び実施例では、開口部に窓７が嵌め込まれる場合について説明したが、これに限定されるものではなく、開口部に扉が嵌め込まれるものであっても化粧材５を取り付けることができる。
【図面の簡単な説明】
【００８３】
【図１】本発明の最良の実施の形態の化粧材の構成を説明する斜視図である。
【図２】本発明の最良の実施の形態の開口部化粧構造の構成を説明する図１のＡ−Ａ断面図である。
【図３】本発明の最良の実施の形態の開口部化粧構造の構成を説明する図１のＢ−Ｂ断面図である。
【図４】本発明の最良の実施の形態の化粧材の構成を説明する縦断面図である。
【図５】本発明の最良の実施の形態の化粧材の構成を説明する横断面図である。
【図６】竪枠の取り付け箇所の構成を詳細に説明する横断面図である。（ａ）は開口部の脇に面材がない場合であり、（ｂ）は開口部の脇に面材がある場合である。
【符号の説明】
【００８４】
Ｃ，Ｃ１      開口部化粧構造
２，２Ａ      外壁パネル（外壁）
２１          前面
２２          端面
３            基盤部材
３１１，３２１，３３１  前面枠部
３１１ａ，３２１ａ，３３１ｃ  掛止かぎ部
３３１ａ，３３１ｂ  ビス孔
３１２，３２２，３３２  端面枠部
４            カバー部材
４１ａ，４２ａ，４３ａ  掛止爪部
５            化粧材
６１，６２    ビス
７            窓
７１          前面
【図１】
2009079454.tif 000003
【図２】
2009079454.tif 000004
【図３】
2009079454.tif 000005
【図４】
2009079454.tif 000006
【図５】
2009079454.tif 000007
【図６】
2009079454.tif 000008